(57)【要約】【目的】本発明の目的は、通行する上で障害になることが少ない新規なスライド開きドアを提供することにある。【構成】スライド開きドアは、建物の通路口αに前後方向に並べて取り付けられる回動ドア１００とスライドドア２００とを有しており、スライドドア２００が回動ドア１００に対して閉位置から開位置にかけて横方向に移動可能である一方、回動ドア１００が閉位置から開位置にかけてスライドドア２００とともに９０度以上の範囲で回動可能になドアであって、開位置にあるスライドドア２００の横方向の移動を規制し、回動ドア１００が閉位置にあるときに当該規制を解除するスライドドア規制機構６００を具備している。【選択図】      図１
2004324123.tif 000002
【特許請求の範囲】
【請求項１】
建物の通路口に前後方向に並べて取り付けられる回動ドアとスライドドアとを有しており、スライドドアが回動ドアに対して閉位置から開位置にかけて横方向に移動可能である一方、回動ドアが閉位置から開位置にかけてスライドドアとともに回動可能なスライド開きドアであって、スライドドアの上端面に幅方向に形成された溝の回動ドア側の内部に配設された第１のローラと、スライドドアの前記溝の反回動ドア側の設けられた第２のローラと、スライドドアの前記溝の内部に配設されており且つ第２のローラを前記溝の内部から外部にかけて移動自在に支持する揺動ブラケットと、第２のローラが前記溝の外部に常時位置するように揺動ブラケットに対して付勢する弾性部材と、ドアの固定枠に取り付けられ且つ閉位置から開直前位置にかけて移動するスライドドアの第２のローラを案内するレール部材であって開直前位置のスライドドアの第２のローラを弾性部材の弾性力に抗して前記溝の内部にまで下降させるための下り傾斜面を有した第１のガイドレールと、回動ドアの上側近くのスライドドアの前記溝に入り込み可能な位置に設けられており且つ閉位置から開位置にかけて移動するスライドドアの第１のローラを案内する第２のガイドレールと、開位置にあるスライドドアの横方向の移動を規制し、回動ドアが閉位置にあるときに当該規制を解除するスライドドア規制機構とを具備したことを特長とするスライド開きドア。
【請求項２】
請求項１記載のスライド開きドアにおいて、前記スライドドア規制機構は、回動ドアの上端面に前後方向に移動自在に設けられたストッパー部材と、ストッパー部材の先端部がドアの固定枠の一部に接触し得る方向にストッパー部材に対して付勢する弾性部材とを有しており、ストッパー部材は、その先端部がドアの固定枠の一部に接触しない位置で、スライドドアの上端面に設けられた突起部材に係合する係合片を有している構成となっていることを特長とするスライド開きドア。
【請求項３】
請求項１又は２記載のスライド開きドアにおいて、第１のガイドレールがドアの固定枠の内部に取り付けられていることを特長とするスライド開きドア。
【発明の詳細な説明】
【０００１】
【発明の属する技術分野】
本発明は建物の通路口に備えられるスライド開きドアに関する。
【０００２】
【従来の技術】
建物の通路口に備えられるドアとしては、開き戸、引戸、折り畳みドア、アコーディオンドア等があり、ドア自体が横方向に移動自在であるスライド式ドア（例えば、特許文献１等参照）と、ドア自体が回動自在である開き式ドア（例えば、特許文献２等参照）とに大別される。
【０００３】
【特許文献１】
特開２００１−１２１３６号公報
【特許文献２】
特開平１０−３１７８０１号公報
【０００４】
【発明が解決しようとする課題】
しかしながら、開き式ドアによる場合、そのドアの回転半径内に障害物が存在すると、障害物に接触して開閉することができないという欠点がある。例えば、車椅子や運搬用の荷台が通路口を通行する際、それ自体がドアの障害物となることがあり、通路口を通行することが困難になる。
【０００５】
一方、スライド式ドアによる場合、ドアをスライドさせて完全に閉じたとしても、そのドアの端部が張り出しており、これが通路口を通行する上で障害物になり得るという欠点がある。例えば、車椅子や運搬用の荷台が通路口を通ることができる横幅であるにもかかわらず、ドアの端部に接触して通路口を通行することが困難なケースがある。
【０００６】
本発明は上記事情を鑑みて創案されたものであって、その目的とするところは、通行する上で障害になることが少ない新規なスライド開きドアを提供することにある。
【０００７】
【課題を解決するための手段】
本発明のスライド開きドアは、建物の通路口に前後方向に並べて取り付けられる回動ドアとスライドドアとを有しており、スライドドアが回動ドアに対して閉位置から開位置にかけて横方向に移動可能である一方、回動ドアが閉位置から開位置にかけてスライドドアとともに回動可能なスライド開きドアであって、スライドドアの上端面に幅方向に形成された溝の回動ドア側の内部に配設された第１のローラと、スライドドアの前記溝の反回動ドア側の設けられた第２のローラと、スライドドアの前記溝の内部に配設されており且つ第２のローラを前記溝の内部から外部にかけて移動自在に支持する揺動ブラケットと、第２のローラが前記溝の外部に常時位置するように揺動ブラケットに対して付勢する弾性部材と、ドアの固定枠に取り付けられ且つ閉位置から開直前位置にかけて移動するスライドドアの第２のローラを案内するレール部材であって開直前位置のスライドドアの第２のローラを弾性部材の弾性力に抗して前記溝の内部にまで下降させるための下り傾斜面を有した第１のガイドレールと、回動ドアの上側近くのスライドドアの前記溝に入り込み可能な位置に設けられており且つ閉位置から開位置にかけて移動するスライドドアの第１のローラを案内する第２のガイドレールと、開位置にあるスライドドアの横方向の移動を規制し、回動ドアが閉位置にあるときに当該規制を解除するスライドドア規制機構とを具備している。
【０００８】
スライドドア規制機構については、例えば、回動ドアの上端面に前後方向に移動自在に設けられたストッパー部材と、ストッパー部材の先端部がドアの固定枠の一部に接触し得る方向にストッパー部材に対して付勢する弾性部材とを有しており、ストッパー部材は、その先端部がドアの固定枠の一部に接触しない位置で、スライドドアの上端面に設けられた突起部材に係合する係合片を有している構成のものを用いると良い。
【０００９】
好ましくは、第１のガイドレールをドアの固定枠の内部に取り付けるようにすることが望ましい。
【００１０】
【発明の実施の形態】
以下、本発明の実施の形態に係るスライド開きドアを図面を参照して説明する。図１は同スライド開きドアの正面図、図２は同スライド開きドアの模式的平面図、図３は同スライド開きドアの第１のガイドレール等を示す部分断面図、図４は同スライド開きドアの第２のガイドレール等を示す部分断面図、図５は同スライド開きドアを構成するスライドドアの上端面の溝に取り付けられるローラブロックを示す図であって、（ａ）は縦断面図、（ｂ）は側面図、（ｃ）は一部省略平面図、図６は同スライド開きドアを構成する回動ドアの上端面に取り付けられるスライドドア規制機構を示す図であって、（ａ）は平面図、（ｂ）は側面図である。
【００１１】
本発明の実施の形態に係るスライド開きドアは、図１及び図２に示すように建物の通路口αに前後方向に並べて取り付けられる回動ドア１００とスライドドア２００とを有しており、スライドドア２００が回動ドア１００に対して閉位置から開位置にかけて横方向（図２中矢印方向）に移動可能である一方、回動ドア１００が閉位置から開位置にかけてスライドドア２００とともに９０度以上の範囲で回動可能になっている。具体的には以下のような構成となっている。
【００１２】
即ち、スライドドア２００の上端面に幅方向に形成された溝２０１の回動ドア側の内部に配設されたローラ２１０、２２０（第１のローラに相当する）と、スライドドア２００の溝２０１の反回動ドア側の設けられたローラ２３０（第２のローラに相当する）と、スライドドア２００の溝２０１の内部に配設されており且つローラ２３０を溝２０１の内部から外部にかけて移動自在に支持する揺動ブラケット２４０と、ローラ２３０が溝２０１の外部に常時位置するように揺動ブラケット２４０に対して付勢するスプリング２５０（弾性部材に相当する）と、ドアの固定枠３００に取り付けられており且つ閉位置から開直前位置にかけて移動するスライドドア２００のローラ２３０を案内するレール部材であって開直前位置のスライドドア２００のローラ２３０をスプリング２５０の弾性力に抗して溝２０１の内部にまで下降させるための下り傾斜面４３０を有した第１のガイドレール４００と、回動ドア１００の上部におけるスライドドア２００の溝２０１に入り込み可能な位置に設けられており且つ閉位置から開位置にかけて移動するスライドドア２００のローラ２１０、２２０を案内する第２のガイドレール５００と、開位置にあるスライドドア２００の横方向の移動を規制し、回動ドア１００が閉位置にあるときに当該規制を解除するスライドドア規制機構６００と有した構成となっている。以下、各部を詳細に説明する。
【００１３】
建物の通路口αはドアの固定枠３００の内部に位置している。即ち、固定枠３００は建物の柱や横桟等に相当するもので、通路口αの上側、左側、右側、下側に位置するものを上側枠３０１、左側枠３０２、右側枠３０３、下側枠３０４として各々示している。このような固定枠３００に回動ドア１００及びスライドドア２００が取り付けられている。
【００１４】
回動ドア１００は左側枠３０２の内側に図外のヒンジを介して取り付けられている。上側枠３０１の奥側の一部は下方に延びており、この部分にスライドドア２００の裏面上部等が当接するようになっている。このことから回動ドア１００は図２に示すように前方方向にのみ開閉可能になっている。
【００１５】
回動ドア１００の下端面の図１中右側には回動ドア１００の裏面に突出した形で鉄板１０１が取り付けられている。鉄板１０１上にはローラ１０２が上向きに取り付けられている。ローラ１０２はスライドドア２００に下端面に幅方向に形成された溝２０２に入り込みようになっている。また、回動ドア１００の上端面には図４に示すように第２のガイドレール５００が取り付けられている。
【００１６】
第２のガイドレール５００は回動ドア１００の横幅より若干短い長さを有した断面略コ字状の金属板であって、図４に示すように回動ドア１００の上端面に取り付けられるベース部５０１と、ローラ２１０、２２０を案内するレール部５０２とを有している。レール部５０２は回動ドア１００の裏面側で且つスライドドア２００の溝２０１に入り込むことが可能な位置に配置されている。
【００１７】
スライドドア２００は図１に示すように回動ドア１００と同じ高さ寸法となっている。その上端面に幅方向に形成された溝２０１の内部には、図１中左側にローラ２１０が取り付けられている一方、右側に図５に示すローラブロック２６０が取り付けられている。
【００１８】
ローラブロック２６０は金属製のＬアングルであって、これにローラ２２０、揺動ブラケット２４０、スプリング２５０及び突出部材２７０が取り付けられている。ローラブロック２６０の側面内側にローラ２２０及び揺動ブラケット２４０が軸支されている。
【００１９】
揺動ブラケット２４０はローラ２２０の図５（ａ）中右側に配置された金属製の板状体であり、ローラブロック２６０の側面に軸２４１により軸支されている。揺動ブラケット２４０の先端部にはローラ２３０が軸支されており、軸２４１にはスプリング２５０が取り付けられている。スプリング２５０により揺動ブラケット２４０が図５（ａ）中反時計方向に付勢される。ただ、揺動ブラケット２４０の他端部がローラブロック２６０の底面上に当接することから、揺動ブラケット２４０は図５（ａ）に示すように斜め４５度の状態で維持される。この状態でローラ２３０は図３に示すように溝２０１の外部に位置しており、図１に示すようにスライドドア２００の上端面から突出している。
【００２０】
突出部材２７０は断面略コ字状をなした金属製の板材であって、ローラブロック２６０上の揺動ブラケット２４０に対向した位置に取り付けられている。突出部材２７０の上面２７１には円盤状をなしたストッパー２７２が高さ調整可能にネジ止めされている。ストッパー２７２の外周面には、スライドドア２００を勢い良く閉めた際の衝撃を柔らげるためにクッション材で覆われている。
【００２１】
突出部材２７０の上面２７１のうち図５（ｃ）中左側には案内部２７３及び切り欠き２７４が形成されている。ストッパー２７２の大部分については勿論のこと、案内部２７３及び切り欠き２７４についても図３に示すように溝２０１の外部に位置しており、スライドドア２００の上端面から若干突出している。但し、図５（ｃ）には揺動ブラケット２４０が図示省略されている。
【００２２】
第１のガイドレール４００はスライドドア２００の横幅より若干長い金属板であって、閉位置から開直前位置にかけて移動するスライドドア２００のローラ２３０を案内する断面略コ字状のレール部４１０（図３参照）と、開直前位置のスライドドア２００のローラ２３０をレール部４１０から脱落させるための切り欠き部４２０と、レール部４１０から脱落した後の開直前位置のスライドドア２００のローラ２３０をローラ２１０、２２０の高さ位置まで徐々に下降させて案内するための下り傾斜面４３０と、ローラ２１０、２２０の高さ位置まで下降した開直前位置のスライドドア２００のローラ２３０をそのままの高さ位置で案内するための平行案内面４４０とを有した構成となっている。
【００２３】
なお、レール部４１０の端部については、ローラ２３０の進入を容易にするために下方に向かって若干広げられている。
【００２４】
このような第１のガイドレール４００が図１に示すように上側枠３０１の右側半分の内部に取り付けられている。そのためスライドドア２００の上端面から突出しているローラ２３０等については上側枠３０１で覆い隠される。但し、この点は図１において正確に表されていない。
【００２５】
スライドドア規制機構６００は、図６に示すように回動ドア１００の上端面に取り付けられた鉄板であるベース板６１０と、ベース板６１０上の前後方向に移動自在に設けられたストッパー部材６２０と、ストッパー部材６２０の先端部６２１が上側枠３０１の一部（上側枠３０１の奥側の一部で下方に延びた部分。以下、これを単に上側枠３０１の一部と称する）に接触し得る方向にストッパー部材６２０に対して付勢するスプリング６３０（弾性部材に相当する）とを有している。
【００２６】
ベース板６１０は、第２のガイドレール５００に隣接する形で回動ドア１００の上端面のうち図１中右側に取り付けられており、回動ドア１００の上端面にネジ止めされる取付部６１１と、スライドドア２００の上端面に対向し得る位置に配置される天板部６１２とを有している。天板部６１２の下面にはストッパー部材６２０及びスプリング６３０が水平方向に取り付けられている。
【００２７】
ストッパー部材６２０は天板部６１２の下面に形成された軸６１２１を中心として図中ａ、ｂの方向に回動可能な鉄製のレバー片であって、上側枠３０１の一部に接触する方向に向けられた先端部６２１と、図６中の右側の端部を下方に向け折り曲げて形成された係合片６２２とを有している。この係合片６２２には、スライドドア２００の突起部材２７０の切り欠き２７４に係合し得るようになっている。
【００２８】
スプリング６３０は軸６１２１に取り付けられており、このスプリング６３０によりストッパー部材６２０が付勢されている。即ち、スプリング６３０の弾性力によりストッパー部材６２０が図中ａ方向に傾き、これにより先端部６２１が上側枠３０１の一部に接触可能である。この状態では、係合片６２２がスライドドア２００の突起部材２７０の切り欠き２７４に係合可能になっている。一方、先端部６２１が上側枠３０１の一部に接触すると、スプリング６３０の弾性力に抗してストッパー部材６２０が図中ｂ方向に傾く。この状態では、係合片６２２がスライドドア２００の突起部材２７０の切り欠き２７４に係合不可能になっている。
【００２９】
以上のように構成されたスライド開きドアの動作について説明する。まず、図１  に示すように回動ドア１００及びスライドドア２００が閉位置にある状態では、上側枠３０１の一部にスライドドア２００の裏面上部及びストッパー部材６２０の先端部６２１が接触することになる。このためストッパー部材６２０は図６中ｂ方向に傾いている。なお、上側枠３０１の一部と回動ドア１００又はスライドドア２００の裏面側との双方には、この状態を維持するためのマグネットが設けられている。
【００３０】
このように閉位置にあるスライドドア２００をスライドさせると、この過程でローラ２３０が第１のガイドレール４００のレール部４１０により、ローラ２１０が第２のガイドレール５００より各々案内されて移動する。この状態はローラ２３０がレール部４１０から脱落することになる開直前位置まで続く。スライドドア２００が開直前位置までスライドされると、ローラ２３０がレール部４１０から脱落するものの、ローラ２２０が第２のガイドレール５００により案内されることから、スライドドア２００が開直前位置に達してもその姿勢が不安定になることはない。
【００３１】
ローラ２３０がレール部４１０から脱落した後、ローラ２３０が下り傾斜面４３０に案内されて、スプリング２５０の弾性力に抗してスライドドア２００の溝２０１の内部にまで下降し、その後、平行案内面４４０により案内される。この状態になると、揺動ブラケット２４０が一部がベース板６１０の天板部６１２の下に潜り込む形になり、その後、スライドドア２００が開位置に達すると、ストッパー２７２が天板部６１２の端部に当接する。
【００３２】
ストッパー部材６２０は図６中ｂ方向に傾いていることから、先端部６２１が突起部材２７０の切り欠き２７４に係合されることはない。よって、スライドドア２００を自由にスライドさせることが可能になる。
【００３３】
スライドドア２００を回動ドア１００とともに回動させることができるのは、ローラ２３０がレール部４１０から脱落した状態、即ち、スライドドア２００が閉位置及び開直前位置にある状態だけである。ただ、スライドドア２００が閉位置にある状態で、回動ドア１００をスライドドア２００とともに少しでも回動させると、ストッパー部材６２０の先端部６２１が上側枠３０１の一部から離れる。これに伴って、ストッパー部材６２０がスプリング６３０の弾性力により図中ａ方向に傾き、係合片６２２がスライドドア２００の突起部材２７０の切り欠き２７４に係合する。即ち、スライドドア２００が回動ドア１００に連結される。このため回動ドア１００が閉位置から開位置にかけて回動する過程で、スライドドア２００が遠心力によりスライドすることはない。
【００３４】
このようなスライド開きドアにおいては、回動ドア１００をスライドドア２００とともに完全に開けた状態では、通行を妨げる障害物が何も存在しない。回動ドア１００等の回転半径も従来の開き戸式ドアに比べて半分であるので、回転半径内に障害物が存在することも少ない。即ち、車椅子や運搬用の荷台であっても容易に通路口αを通行することが可能になり、この点でドアとしての高性能化を図ることが可能になる。
【００３５】
また、回動ドア１００を回動させる過程でスライドドア２００が不意にスライドしないようにされているので、安全性も万全である。さらに、回動ドア１００とスライドドア２００との高さ位置が同じであり、第１のスライドレール４００が上側枠３０１の内部に取り付けられて隠れていることから、ドアとしての見栄えが良く、この点でのメリットもある。
【００３６】
なお、本発明に係るスライド開きドアは上記実施の形態に限定されず、例えば、スライドドア規制機構に関しては、開位置にあるスライドドアの横方向の移動を規制し、回動ドアが閉位置にあるときに当該規制を解除する機能が得られる機構であるならば、どのようなものを用いてもかまわない。また、弾性部材についても同一の機能が得られるならば、どのようなものを用いてもかまわない。
【００３７】
【発明の効果】
以上、本発明に係るスライド開きドアによる場合、スライドドアが回動ドアに対して閉位置から開位置にかけて横方向に移動可能である一方、回動ドアが閉位置から開位置にかけてスライドドアとともに回動可能な構成となっているので、回動ドアをスライドドアとともに完全に開けた状態では、通行を妨げる障害物が存在せず、回動ドア等の回転半径も従来の開き戸式ドアに比べて小さいことから、回転半径内に障害物が存在するケースも少ない。それ故、通行する上で障害になることが非常に少ないというメリットを奏する。しかも回動ドアが閉位置である状態ではスライドドアを自由にスライドさせることが可能であるものの、回動ドアを閉位置から開位置にかけて回動させる際には、その遠心力等によりスライドドアが不意にスライドしないように工夫されているので、安全性に関しても万全である。
【図面の簡単な説明】
【図１】本発明の実施の形態に係るスライド開きドアを説明するための図であって、同スライド開きドアの正面図である。
【図２】同スライド開きドアの模式的平面図である。
【図３】同スライド開きドアの第１のガイドレール等を示す部分断面図である。
【図４】同スライド開きドアの第２のガイドレール等を示す部分断面図である。
【図５】同スライド開きドアを構成するスライドドアの上端面の溝に取り付けられるローラブロックを示す図であって、（ａ）は正面図、（ｂ）は側面図、（ｃ）は一部省略平面図である。
【図６】同スライド開きドアを構成する回動ドアの上端面に取り付けられるスライドドア規制機構を示す図であって、（ａ）は平面図、（ｂ）は側面図である。
【符号の説明】
１００  回動ドア
２００  スライドドア
２０１  溝
２１０、２２０  ローラ（第１のローラ）
２３０  ローラ（第２のローラ）
２４０  揺動ブラケット
２５０  スプリング（弾性部材）
３００  固定枠
４００  第１のガイドレール
４３０  下り傾斜面
５００  第２のガイドレール
６００  スライドドア規制機構
【図１】
2004324123.tif 000003
【図２】
2004324123.tif 000004
【図３】
2004324123.tif 000005
【図４】
2004324123.tif 000006
【図５】
2004324123.tif 000007
【図６】
2004324123.tif 000008